(57)【要約】【課題】ボタン等の異物によってタオル本来の肌触りを犠牲にすることなく安全に使用することができ、さらには衛生的に使用することができる使い勝手の良いタオルを提供する。【解決手段】タオル１０は、略長方形状の布地からなり、短辺の一端角隅部１１ａにはボタン１２が取り付けられ、当該ボタンを覆い隠すボタンカバー１４が縫い付けられている。また、短辺の他端角隅部１１ｂにはボタンホール１３ａが形成され、対角線上の他端角隅部１１ｃにはボタンホール１３ｂが、長辺の他端角隅部１１ｄにはボタンホール１３ｃが形成されている。そして、ボタンカバーの表裏をひっくり返すとボタンを露出させることができる。当該ボタンを少なくとも一つのボタンホールと係合させることにより、様々な態様でタオルを使用することができる。【選択図】図１
0003188597.tif 000002
【実用新案登録請求の範囲】
【請求項１】
略長方形状の布地からなり、
当該布地の短辺の一端角隅部にボタンを有し、当該短辺の他端角隅部に当該ボタンが係合するボタンホールを有するタオルであって、
前記一端角隅部にボタンカバーを縫い付けて前記ボタンを覆い隠し、
当該ボタンカバーを裏返したとき、
前記ボタンが露出するようにしたことを特徴とするタオル。
【請求項２】
前記タオルの一端角隅部の対角線上の他端角隅部、及び長辺の他端角隅部にボタンホールを設けたことを特徴とする請求項１に記載のタオル。
【請求項３】
前記一端角隅部の先端を、前記ボタンカバーの側縁部に沿って切除したことを特徴とする請求項１に記載のタオル。
【請求項４】
前記ボタンカバーは前記タオルと同じ布地からなることを特徴とする請求項１に記載のタオル。
【考案の詳細な説明】
【技術分野】
【０００１】
本考案は、汗拭きや入浴に使用するタオルに関する。
【背景技術】
【０００２】
浴用や擦拭といった用途に合わせてタオルを使用するため、角部にボタン及びボタンホールを設けたタオルがいくつか開示されている。
実用新案登録第３０５６４６８号公報又は特開２００６−４３１５４号公報に開示されているタオルは、一の角隅部にボタンを設け、隣り合う又は対角する他の角隅部にボタンホールが形成されている。当該ボタンをボタンホールに係合させると、タオルを袋状に形成することができ、たとえば石鹸、スポンジ等の沐浴用具を収納することができる。
また、実用新案登録第３１３３２５９号公報に開示されているバスタオルは、長方形状のバスタオルの短辺側に沿って対向する角部に雄型ホックと雌型ホックをそれぞれ設けている。これらホックを係止させると幼児やペットを包み込んで容易に拭きあげることができる。
【先行技術文献】
【特許文献】
【０００３】
【特許文献１】実用新案登録第３０５６４６８号公報
【特許文献２】特開２００６−４３１５４号公報
【特許文献３】実用新案登録第３１３３２５９号公報
【考案の概要】
【考案が解決しようとする課題】
【０００４】
しかしながら、上記のように物品を収納するとき又は幼児等を拭くときといった使用時以外の、たとえば、入浴時に体を洗うために使用したり、顔や体を拭いたりする通常の使用時に、ボタンやホックが肌に当たって、タオル本来の肌触りが悪くなるおそれがある。また、そのようなボタンやホックによって怪我をするおそれもある。そして、ボタン取付用の小穴には汚れや雑菌がたまり易く、ボタンが露出している状態では、通常の使用によって汚れや雑菌に肌が曝されるので非常に不衛生である。
さらに、露出しているボタンは、洗濯の際にタオルを他の洗濯物に絡まりやすくしてしまうおそれがある。
【０００５】
したがって、本考案が解決しようとする課題は、ボタン等の異物によってタオル本来の肌触りを犠牲にすることなく安全に使用することができ、さらには衛生的に使用することができる使い勝手の良いタオルを提供することである。
【課題を解決するための手段】
【０００６】
請求項１に記載のタオルは、略長方形状の布地からなり、
当該布地の短辺の一端角隅部にボタンを有し、当該短辺の他端角隅部に当該ボタンが係合するボタンホールを有するタオルであって、
前記一端角隅部にボタンカバーを縫い付けて前記ボタンを覆い隠し、
当該ボタンカバーを裏返したとき、
前記ボタンが露出するようにしたことを特徴とする。
【０００７】
請求項２に記載のタオルは、請求項１に記載の発明において、前記タオルの一端角隅部の対角線上の他端角隅部、及び長辺の他端角隅部にボタンホールを設けたことを特徴とする。
【０００８】
請求項３に記載のタオルは、請求項１に記載の発明において、前記一端角隅部の先端を、前記ボタンカバーの側縁部に沿って切除したことを特徴とする。
【０００９】
請求項４に記載のタオルは、請求項１に記載の発明において、前記ボタンカバーは前記タオルと同じ布地からなることを特徴とする。
【考案の効果】
【００１０】
請求項１に記載のタオルによれば、ボタンをボタンカバーで覆い隠すようにした。これにより、入浴や洗顔でタオルを使用したとき、ボタンが肌に直接当たらないようにすることができる。そのため、ボタンによってタオル本来の肌触りを犠牲にすることなく安全に使用することができる。また、ボタンがボタンカバーで覆い隠されていることにより、ボタンが有するボタン取付用の小穴もまた覆い隠されている。これにより、当該小穴に石鹸滓や垢が溜まり難いので、衛生的に使用することができる。さらに、短辺の一端角隅部に取り付けたボタンを、当該短辺の他端角隅部に設けたボタンホールに係合することにより、タオルを首に巻き付けたり、タオルホルダーの腕木に巻き付けたりして使用することができるので、タオルの使い勝手をより良くすることができる。
【００１１】
請求項２に記載のタオルによれば、一端角隅部の対角線上の他端角隅部と長辺の他端角隅部にもボタンホールを設けた。これにより、ボタンを留めるボタンホールを選択することにより、多様な形態でタオルを使用することができるので、タオルの使い勝手を良くすることができる。
【００１２】
請求項３に記載のタオルによれば、ボタンを取り付けた一端角隅部の先端をボタンカバーの側縁部に沿って切除した。これにより、ボタンカバーをひっくり返してボタンを露出させるとき、ボタンを容易に露出させることができ、タオルの使い勝手を良くすることができる。
【００１３】
請求項４に記載のタオルによれば、ボタンカバーをタオルと同じ布地から形成するようにした。これにより、ボタンが取り付けられていても、タオル本来の肌触りを保つことができる。また、タオルの製造過程の一環として連続したタオル地から帯状のボタンカバーを切除形成してタオルの一端角隅部へ取り付けることができる。これにより安価に製造することができ、製造コストを抑えることができる。
【図面の簡単な説明】
【００１４】
【図１】第１実施例に係るタオルを示す全体図である。
【図２】第１実施例に係るタオルの短辺の一端角隅部を拡大した部分拡大図である。
【図３】第１実施例に係るタオルの短辺の一端角隅部を拡大して、使用例を示した説明図である。
【図４】第１実施例に係るタオルの使用例の一例を示した説明図である。
【図５】第１実施例に係るタオルの他の使用例を示した説明図である。
【図６】第１実施例に係るタオルの他の使用例を示した説明図である。
【図７】第２実施例に係るタオルの短辺の一端角隅部を拡大した部分拡大図である。
【実施例１】
【００１５】
本考案に係るタオルの実施例を添付した図面にしたがって説明する。図１は、本実施例に係るタオルを示す全体図であり、図２は、本実施例に係るタオルの短辺の一端角隅部を拡大した部分拡大図である。
【００１６】
タオル１０は、長方形状の布地からなる。当該布地は本実施例においてはタオル地を用いたが、これに限定されるものでは無く、和手ぬぐいに用いられるようなサラシ、その他吸水性の良い布地や肌触りのよい布地を用いても良い。タオル１０の形状もまた長方形に限定されず、角丸な長方形であったり、平面視樽型状のタオルであっても良い。
タオル１０は、短辺の一端角隅部１１ａにボタン１２が配され、他端角隅部１１ｂにボタンホール１３ａが形成されている。また、長辺の他端角隅部１１ｄにはボタンホール１３ｂが形成され、対角線上の他端角隅部１１ｃには、ボタンホール１３ｃが形成されている。
【００１７】
一端角隅部１１ａには、帯状のボタンカバー１４が取り付けられている。ボタンカバー１４の幅は少なくともボタン１２を覆い隠すように形成されている。これにより、洗顔時や入浴時にタオル１０を使用したとき、ボタン１２が直接肌に当たることを防止することができる。
ボタンカバー１４は、タオル地の帯からなる。これにより、タオル１０の製造過程の中で、ボタンカバー１４を製造し、取り付けることができる。そのため、製造コストを抑えることができる。
帯状のボタンカバー１４は、両端部を一端角隅部１１ａの隣り合う辺縁に縫い付けることによって、ボタンカバー１４の一の側縁に小径開口部１５ａが形成され、他の側縁には大径開口部１５ｂが形成されてる。これにより、たとえばタオル１０を使用していないときや、タオル１０を干しているとき、ボタンカバー１４をフックに掛けておくことができる。
ここで、ボタンカバー１４を一端角隅部１１ａ全体を覆うように、たとえば三角形の布地から形成した場合には、一端角隅部１１ａの先端にある一端角部に埃や糸くずが溜まるおそれがある。しかしながら、小径開口部１５ａを設けたことにより、当該一端角部に埃や糸くずを溜まり難くすることができるので、タオル１０を衛生的に使用することができる。
【００１８】
以上が本実施例に係るタオル１０の構成である。次に当該タオル１０の使用方法を添付した図面にしたがって説明する。使用時における本実施例に係るタオル１０の短辺の一端角隅部１１ａを図３に示し、本実施例に係るタオル１０の使用例を図４乃至図６に示す。
【００１９】
本実施例に係るタオル１０の使用状態は、ボタン１２がボタンカバー１４によって覆い隠されている第１形態と、ボタン１２が露出している第２形態からなる。
第１形態では、洗顔や、入浴時の洗体、又は汗拭きといった普通のタオル１０のように使用することができる。このとき、タオル地からなるボタンカバー１４がボタン１２を覆い隠していることにより、タオル１０本来の肌触りを保ちつつ、ボタン１２が肌に直接触れることを防止することができる。そのため、ボタン１２の縁が肌を傷つけることを防止することができる。
また、ボタン１２が露出したままの従来のタオルの場合には、ボタン１２取付用の小穴に、石鹸滓が詰まったり、汚れが詰まって雑菌等が繁殖するおそれがあり、そのまま使用すると不衛生なボタン１２が肌に触れるおそれがあった。しかし、ボタンカバー１４を取り付けることによって、ボタン１２が肌に直接触れなくなるので、タオル１０を衛生的に使用することができる。
【００２０】
図３に示すように、タオル１０の第２形態は、一端角部１１ａの先端である一端角部を小径開口部１５ａから大径開口部１５ｂに向かって潜らせつつ、小径開口部１５ａを大径開口部１５ｂに押し込むようにしてボタンカバー１４の表裏をひっくり返す。これによりボタンカバー１４はタオル１０の裏面側に回り、ボタン１２が露出される。
露出したボタン１２とボタンホール１３ａ，１３ｂ，１３ｃとを様々な組み合わせで係合することによって、様々な形態で、たとえば、洗顔を終えたあとや、汗拭きや首元の日焼け止めや保温のために、タオル１０を首に巻いて使用することができる。また、タオルホルダーの腕木にタオル１０を巻回させて使用することもできる。このタオル１０の第２形態に係る使用例を以下に示す。
【００２１】
図４に示した使用例は、タオル１０を首に巻き付ける一例である。タオル１０の短辺の一端角隅部１１ａにあるボタン１２と他端角隅部１１ｂにあるボタンホール１３ａとを係合すると一の短辺側に小ループが形成される。当該小ループに他の短辺側を通すと、タオル１０に径が調節自在な大ループが形成される。当該大ループに使用者の首を通すことにより、使用者の首にタオル１０をしっかりと巻き付けることができるので、風に飛ばされたり、落としてしまうことを防止することができる。
また、タオルホルダーの腕木にタオル１０を巻回してから大ループの径を絞ることによって、タオル１０を腕木に巻き付けることができる。これにより、腕木に掛けたタオル１０が解けて、使用中にタオル１０がタオルホルダーから外れることを防止することができる。
【００２２】
図５に示した使用例は、タオル１０を首に巻き付ける一例である。タオル１０を短辺に沿って半分に折り畳み、ボタン１２をすべてのボタンホール１３ａ，１３ｂ，１３ｃに掛けると、タオル１０はループに形成される。なお、ボタン１２をボタンホール１３ａ，１３ｂ，１３ｃに留めるとき、タオル１０を短辺に沿って半分に折りたたんでから数回ねじってねじり鉢巻状にしても良い。ループに使用者の首を通すことによって、使用者の首にタオル１０を巻き付けることができるので、風に飛ばされたり、落としてしまうことを防止することができる。なお、図４に示した使用例よりも首周りに余裕ができるので、圧迫感を少なくすることができる。
また、タオルホルダーの腕木にタオル１０を巻回してからループを形成することによって、タオル１０を腕木に巻き付けることができる。これにより、腕木に掛けたタオル１０が解けて、使用中にタオル１０がタオルホルダーから外れることを防止することができる。
なお、図４又は図５に示した使用例は、タオル１０のみならず、マフラーやストールといった略長方形状の布地を用いた服飾品に適用しても良い。この場合には、結ぶ手間を省き、首元の保温や防寒といった効果に加えて、風に飛ばされたり、落としてしまうことを防止することができる。
【００２３】
図６に示した使用例は、タオル１０を肩に掛ける一例である。一端角隅部１１ａに設けたボタン１２とタオル１０の長辺の他端角隅部１１ｄに設けたボタンホール１３ｃを係合して、タオル１０の長辺にループを形成している。使用者の首をループに通すことより、タオル１０の布地が肩を覆うので肩掛けのように使用することができる。そのため、たとえば、厚手のタオル地であれば簡易的な防寒具として用いることができる。またたとえば、散髪の際、襟ぐりから切った髪が入り込むことを防ぐ肩掛けとして使用することができる。
なお、図６に示した使用例は、使用者の胸元でボタンホール１３ｃにボタン１２を留めるようにした。これに対して使用者の背中側でボタンホール１３ｃにボタン１２を留めるようにすると、涎掛けのように使用することができる。そのため、乳幼児や要介護の高齢者らの食事の介助に使用することができる。さらに、タオル１０であれば、安価で大量に用意することができるので、頻繁に洗濯することができ、食事毎に取り換えることができる。そのため、衛生面で非常に有利である。また、タオル１０の製造ラインを流用して大量生産することができるので、介護用や乳幼児用といった専用の涎掛けを製造するよりも安価に製造することができ、コストを抑えることができる。
本実施例に係る図６の使用例においては、ボタン留めのタオル１０を例示したがこれに限定されず、たとえば、ショールのような防寒具や、涎掛けについて、図６のように布地の角隅部をフック留めやスナップ留め、又は面ファスナ留めによって留め合わせるようにしても良い。
【実施例２】
【００２４】
次に、他の実施例を添付した図面にしたがって説明する。図７は、第２実施例に係るタオル１０Ａの一端角隅部２０の部分拡大図である。
【００２５】
一端角隅部２０には、ボタン１２が配されている。一端角隅部２０には、帯状のボタンカバー１４が取り付けられている。ボタンカバー１４の幅は少なくともボタン１２を覆い隠すように形成されている。これにより、洗顔時や入浴時にタオル１０を使用したとき、ボタン１２が直接肌に当たることを防止することができる。
ボタンカバー１４は、第１実施例と同様にタオル地からなる。
ボタンカバー１４は、両端部を一端角隅部２０の隣り合う辺縁に縫い付けることによって、ボタンカバー１４の一の側縁には小径開口部２１ａが形成され、他の側縁には大径開口部２１ｂが形成されてる。これにより、たとえばタオル１０を使用していないときや、タオル１０を干しているとき、当該タオル１０をフックに容易に掛けることができる。
また、一端角隅部２０の先端側である一端角部は、小径開口部２１ａの開口端縁部と面一になるように切除されている。これにより、第１実施例に記載したように一端角部を小径開口部２１ａに潜らせなくても良く、小径開口部２１ａ側を大径開口部２１ｂ側へ押し込むと、ボタンカバー１４をタオル１０Ａの裏側へ容易にひっくり返すことができ、ボタン１２を露出させることができる。
【００２６】
他端角隅部１１ｂ，１１ｃ，１１ｄとボタンホール１３ａ，１３ｂ，１３ｃは第１実施例と同一の構成を有するので、説明を省略する。また、使用方法についても第１実施例と同様であるので、説明を省略する。
【００２７】
本実施例に係るタオル１０，１０Ａによれば、ボタン１２を覆い隠すようにボタンカバー１４を取り付けた。これにより、タオル１０，１０Ａを運動中の汗拭きや入浴の際に使用したとき、ボタン１２が肌に直接当たることを防止することができる。そのため、肌が傷つくことを防ぐことができ、また衛生的に使用することができる。
また、帯状のボタンカバー１４を一端角隅部１１ａ，２０の隣り合う辺縁に縫い付けて小径開口部１５ａ，２１ａと大径開口部１５ｂ，２１ｂを設けたことにより、ボタンカバー１４の表裏をひっくり返すことで容易にボタン１２を露出させることができる。このように簡単にボタン１２を露出させたり隠したりできるので、使用状態に合わせてタオル１０，１０Ａを使い勝手良く使用することができる。
【符号の説明】
【００２８】
１０，１０Ａ…タオル、１１ａ，１１ｂ，１１ｃ，１１ｄ，２０…角部、
１２…ボタン、
１３ａ，１３ｂ，１３ｃ…ボタンホール、
１４…ボタンカバー、
１５ａ，２１ａ…小径開口部、１５ｂ，２１ｂ…大径開口部。
【図１】
0003188597.tif 000003
【図２】
0003188597.tif 000004
【図３】
0003188597.tif 000005
【図４】
0003188597.tif 000006
【図５】
0003188597.tif 000007
【図６】
0003188597.tif 000008
【図７】
0003188597.tif 000009